(57)【要約】【課題】本発明は、ラック又はフレームの形態とされる基体（１２）を備えているエネルギ貯蔵ユニット取付設備（１０）に関する。【解決手段】エネルギ貯蔵ユニット取付設備（１０）は、基体（１２）が、垂直方向において重ねられた状態で配置されている複数の取付領域（１６）であって、少なくとも１つのエネルギ貯蔵ユニット（１１）それぞれのための取付領域（１６）を形成しており、電気エネルギ貯蔵ユニットが、水平方向において、取付領域（１６）それぞれに導入可能とされると共に、取付領域（１６）それぞれから取り出し可能とされ、エネルギ貯蔵ユニット取付設備が、取付領域（１６）それぞれに導入された電気エネルギ貯蔵ユニット（１１）を取付領域（１６）に固定するために、固定装置（１４，１５，１８）を有している。【選択図】図１
2020194770.tif 000002
【特許請求の範囲】
【請求項１】
ラック又はフレームの形態とされる基体（１２，２２）を備えているエネルギ貯蔵ユニット取付設備（１０，２０）であって、
前記基体（１２，２２）が、垂直方向において重ねられた状態で配置されている複数の取付領域（１６，２６）であって、少なくとも１つのエネルギ貯蔵ユニット（１１，２１）それぞれのための前記取付領域（１６，２６）を形成している、前記エネルギ貯蔵ユニット取付設備（１０，２０）において、
前記電気エネルギ貯蔵ユニット（１０，２０）が、水平方向において、前記取付領域（１６，２６）それぞれに導入可能とされると共に、前記取付領域（１６，２６）それぞれから取り出し可能とされ、
前記エネルギ貯蔵ユニット取付設備（１０，２０）が、前記取付領域（１６，２６）それぞれに導入された前記電気エネルギ貯蔵ユニット（１１，２１）を前記取付領域（１６，２６）に固定するために、固定装置（１４，１５，１８，２５）を有していることを特徴とするエネルギ貯蔵ユニット取付設備。
【請求項２】
ラック又はフレームの形態とされる前記基体（１２，２２）が、垂直方向に延在している支柱（１３，２３）と、水平方向において前記支柱（１３，２３）同士の間に延在している横梁（１４，１５，２４，２５）とを備えていることを特徴とする請求項１に記載のエネルギ貯蔵ユニット取付設備。
【請求項３】
前記エネルギ貯蔵ユニット取付設備が、水平方向において前記電気エネルギ貯蔵ユニット（１１，２１）それぞれを前記取付領域（１６）それぞれに導入するために、又は水平方向において前記電気エネルギ貯蔵ユニット（１１，２１）それぞれを前記取付領域（１６）それぞれから取り出すために、コンベアを備えていることを特徴とする請求項１又は２に記載のエネルギ貯蔵ユニット取付設備）。
【請求項４】
前記コンベアが、ラック又はフレームの形態とされる前記基体（１２）の互いに対して平行に延伸している前記横梁（１４）に回転可能に取り付けられている、運搬ローラ（１７）を備えていることを特徴とする請求項３に記載のエネルギ貯蔵ユニット取付設備。
【請求項５】
前記コンベアが、引き出しの態様で形成されていることを特徴とする請求項３に記載のエネルギ貯蔵ユニット取付設備。
【請求項６】
前記固定装置（１８，２５）が、前記電気エネルギ貯蔵ユニット（１１，２１）それぞれをラック又はフレームの形態とされる前記基体（１２、２２）に固定することを特徴とする請求項１〜５のいずれか一項に記載のエネルギ貯蔵ユニット取付設備。
【請求項７】
前記固定装置（１８，２５）が、前記電気エネルギ貯蔵ユニット（１１，２１）に作用するホルダ（１９）又は支持体（２７）に接続されていることを特徴とする請求項６に記載のエネルギ貯蔵ユニット取付設備。
【請求項８】
前記電気エネルギ貯蔵ユニット（１１，２１）に作用する前記ホルダ（１９）又は前記支持体（２７）が、垂直コンベアのための接続要素として構成されていることを特徴とする請求項７に記載のエネルギ貯蔵ユニット取付設備。
【請求項９】
前記固定装置（１４，１５，２５）が、ラック又はフレームの形態とされる前記基体（１２、２２）に固定されている状態であっても、ラック又はフレームの形態とされる前記基体（１２、２２）に固定されていない状態であっても、前記電気エネルギ貯蔵ユニット（１１，２１）を前記取付領域（１６，２６）それぞれに保持することを特徴とする請求項１〜８のいずれか一項に記載のエネルギ貯蔵ユニット取付設備。
【請求項１０】
前記電気エネルギ貯蔵ユニット（１１）それぞれが、前記取付領域（１６）の一方の側部のみにおいて、前記取付領域（１６）それぞれに導入可能とされると共に、前記取付領域（１６）それぞれから取り出し可能とされることを特徴とする請求項１〜９のいずれか一項に記載のエネルギ貯蔵ユニット取付設備。
【請求項１１】
請求項１〜１０のいずれか一項に記載のエネルギ貯蔵ユニット取付設備（１０，２０）と、前記エネルギ貯蔵ユニット取付設備（１０，２０）によって収容される複数の電気エネルギ貯蔵ユニット（１１，２１）とから成る装置。
【発明の詳細な説明】
【技術分野】
【０００１】
本発明は、エネルギ貯蔵ユニット取付設備、及びエネルギ貯蔵ユニット取付設備と複数の電気エネルギ貯蔵ユニットとから成る装置に関する。
【背景技術】
【０００２】
海上で静止した施設では、電気エネルギを貯蔵し、貯蔵された電気エネルギを例えば牽引エネルギとして利用することに対するニーズ、又は搭載された電気システムに供給することに対するニーズが増々高くなっている。特に比較的大きく重い電気エネルギ貯蔵ユニットが利用される場合には、当該電気エネルギ貯蔵ユニットが取り扱い困難であることが現在に至るまでに判明している。このような理由により、比較的小さく軽い電気エネルギ貯蔵ユニットのみが当該電気エネルギ貯蔵ユニットを快適に取り扱うために現在に至るまで利用されてきた。現在に至るまで、大きく重い電気エネルギ貯蔵ユニット、特に自動車両の牽引用バッテリとして利用されている電気エネルギ貯蔵ユニットを適切に取り扱うことができなかった。
【０００３】
従って、大きく重い電気エネルギ貯蔵ユニットを取り扱い可能にするエネルギ貯蔵ユニット取付設備に対するニーズが存在する。
【発明の概要】
【発明が解決しようとする課題】
【０００４】
このことを発端として、本発明は、新型のエネルギ貯蔵ユニット取付設備を創造するという目的に基づくものである。
【課題を解決するための手段】
【０００５】
当該目的は、請求項１における電気エネルギ貯蔵ユニット取付設備によって達成される。
【０００６】
本発明におけるエネルギ貯蔵ユニット取付設備は、ラック又はフレームの形態とされる基体を備えており、基体が、垂直方向において重ねられた状態で配置されている複数の取付領域であって、少なくとも１つのエネルギ貯蔵ユニットそれぞれのための取付領域を形成している。電気エネルギ貯蔵ユニットが、水平方向において、取付領域それぞれに導入可能とされると共に、取付領域それぞれから取り出し可能とされる。
【０００７】
本発明におけるエネルギ貯蔵ユニット取付設備は、取付領域それぞれに導入された電気エネルギ貯蔵ユニットを取付領域に固定するために、固定装置をさらに有している。
【０００８】
本発明では、電気エネルギ貯蔵ユニットの取付領域が、今まで電気自動車やハイブリッド自動車の牽引用バッテリとして利用されてきた比較的大きく比較的重い電気エネルギ貯蔵ユニット、例えば自動車用バッテリの安全な取り扱いを可能にする。複数のこのような電気エネルギ貯蔵ユニットは、垂直方向において重ねられた状態で、エネルギ貯蔵ユニット取付設備の取付領域に受容及び配置可能とされる。電気エネルギ貯蔵ユニットそれぞれに対するアクセスを実現するために、電気エネルギ貯蔵ユニットは水平方向において取付領域それぞれから取り出し可能とされると共に、水平方向において取付領域それぞれに導入可能とされる。
【０００９】
好適には、エネルギ貯蔵ユニット取付設備が、水平方向において電気エネルギ貯蔵ユニットそれぞれを取付領域それぞれに導入するために、又は水平方向において電気エネルギ貯蔵ユニットそれぞれを取付領域それぞれから取り出すために、コンベアを備えている。コンベアは、電気エネルギモジュールが取付領域に導入される際における、又は当該電気エネルギモジュールが取付領域から取り出される際における、当該電気エネルギモジュールそれぞれの水平方向移動をサポートする。これにより、エネルギ貯蔵ユニット取付設備の内部におけるエネルギ貯蔵ユニットの取り扱いが容易になる。
【００１０】
好適には、固定装置は、電気エネルギ貯蔵ユニットそれぞれをラック又はフレームの形態とされる基体に固定する。代替的には又は好適にはさらに、固定装置は、基体に固定されている状態であっても、取付領域それぞれにおいて基体に固定されていない状態であっても、電気エネルギ貯蔵ユニットそれぞれを取付領域それぞれに保持する。エネルギ貯蔵ユニット取付設備の対応する取付領域に配置されている電気エネルギ貯蔵ユニットは、固定装置によって、自身の所定位置に固定される。これにより、電気エネルギ貯蔵ユニットが取付領域それぞれから不慮に脱落することが防止される。
【００１１】
複数の電気エネルギ貯蔵ユニットは、いわゆるエネルギ管理システム（ＥＭＳ）によって制御ユニットを経由して通信可能とされる。制御装置は、電気エネルギ貯蔵ユニットそれぞれの信号を結合し、結合された信号をＥＭＳに送信する。制御装置のさらなる機能は、個々の電気エネルギ貯蔵ユニットの電源入切と、信号を介した車両環境のシミュレーションである。
【００１２】
エネルギ貯蔵ユニット取付設備と複数の電気エネルギ貯蔵ユニットの配置は、請求項１１で定義されている。
【００１３】
本発明の好ましいさらなる発展形態については、従属請求項及び発明の詳細な説明から得ることができる。本発明の典型的な実施例について、図面を参照しつつ詳述するが、本発明は、当該図面に限定される訳ではない。
【図面の簡単な説明】
【００１４】
【図１】電気エネルギ貯蔵ユニットを具備しない、本発明の第１の実施例におけるエネルギ貯蔵ユニット取付設備の斜視図である。
【図２】図１に表わすエネルギ貯蔵ユニット取付設備と複数の電気エネルギ貯蔵ユニットとから成る装置を表わす。
【図３】電気エネルギ貯蔵ユニットを単独で表わす。
【図４】図１に表わすエネルギ貯蔵ユニット取付設備の図面である。
【図５】図１に表わすエネルギ貯蔵ユニット取付設備の図面である。
【図６】図１に表わすエネルギ貯蔵ユニット取付設備の図面である。
【図７】図２に表わす装置の図面である。
【図８】図２に表わす装置の図面である。
【図９】図２に表わす装置の図面である。
【図１０】電気エネルギ貯蔵ユニットを具備しない、本発明の第２の実施例におけるエネルギ貯蔵ユニット取付設備の斜視図である。
【図１１】図１０に表わす電気エネルギ貯蔵ユニットと複数の電気エネルギ貯蔵ユニットとから成る装置を表わす。
【図１２】電気エネルギ貯蔵ユニットの図面である。
【図１３】電気エネルギ貯蔵ユニットの図面である。
【図１４】図１０に表わすエネルギ貯蔵ユニット取付設備の図面である。
【図１５】図１０に表わすエネルギ貯蔵ユニット取付設備の図面である。
【図１６】図１１に表わす装置の図面である。
【図１７】図１１に表わす装置の図面である。
【発明を実施するための形態】
【００１５】
図１〜図９は、本発明におけるエネルギ貯蔵ユニット取付設備１０の第１の実施例の様々な図面を表わす。すなわち、図１、図４、図５、及び図６はそれぞれ、電気エネルギ貯蔵ユニット１１が取り付けられていないエネルギ貯蔵ユニット取付設備１０を表わし、図２、図７、図８、及び図９はそれぞれ、複数の電気エネルギ貯蔵ユニット１１が取り付けられているエネルギ貯蔵ユニット取付設備１０を表わす。図３は、電気エネルギ貯蔵ユニット１１を単独で表わす。
【００１６】
エネルギ貯蔵ユニット取付設備１０は、ラック又はフレームの形態とされる基体１２を備えており、基体１２は、垂直方向に延在している複数の支柱１３と、支柱１３同士の間において水平方向に延在している複数の横梁１４，１５と、を有している。垂直方向に延在している支柱１３同士の間において、横梁１４，１５が互いに対して平行に延伸しており、両側でそれぞれ延在している。
【００１７】
ラック又はフレームの形態とされる基体１２は、電気エネルギ貯蔵ユニットのための複数の取付領域１６を形成しており、取付領域１６は、垂直方向において重ねられた状態で配置されている。図示の典型的な実施例では、ラック又はフレームの形態とされる基体１２は、垂直方向において重ねられた状態で配置されている、電気エネルギ貯蔵ユニットのための５つの取付領域１６を備えている。
【００１８】
電気エネルギ貯蔵ユニット１１はそれぞれ、水平方向において取付領域１６それぞれに導入可能とされると共に、水平方向において、すなわち水平方向に延在している横梁１４に対して平行とされる方向において取付領域１６それぞれから取り出すことができる。
【００１９】
電気エネルギ貯蔵ユニット１１は、好ましくは基体１２の単一の側のみにおいて、すなわち図１及び図２に表わす基体１２の左側それぞれにおいて、取付領域１６それぞれに導入可能とされると共に取付領域１６それぞれから取り出し可能とされる。当該単一の側では、導入及び取り出しの方向に対して横方向に延在している横梁１５は、電気エネルギ貯蔵ユニット１１を取付領域１６それぞれに導入するために、又は電気エネルギ貯蔵ユニット１１を取付領域１６それぞれから取り出すために取り外し可能とされる。
【００２０】
対照的に、基体１２の反対側では、横梁１５が支柱１３に固定された状態で取り付けられているので、当該反対側では、電気エネルギ貯蔵ユニット１１を取付領域１６から離隔するように移動させることも、電気エネルギ貯蔵ユニット１１を取付領域１６に導入することもできない。
【００２１】
図１〜図９に表わす典型的な実施例では、本発明におけるエネルギ貯蔵ユニット取付設備１０は、水平方向において電気エネルギ貯蔵ユニット１１それぞれを取付領域１６それぞれに導入するために、又は水平方向において電気エネルギ貯蔵ユニット１１それぞれを取付領域１６それぞれから取り出すために、コンベアを備えている。図１〜図９に表わす典型的な実施例では、当該コンベアは、互いに対して平行に延伸している基体１２の２つの横梁１４それぞれに回転可能に取り付けられている、運搬ローラ１７を備えている。これら運搬ローラ１７によって、電気エネルギ貯蔵ユニット１１は、電気エネルギ貯蔵ユニット１１それぞれを取付領域１６それぞれに導入するために、又は電気エネルギ貯蔵ユニット１１それぞれを取付領域１６それぞれから取り出すために、水平方向において基体１２に対して容易に移動可能とされる。
【００２２】
エネルギ貯蔵ユニット取付設備１０は、電気エネルギ貯蔵ユニット１１それぞれを取付領域１６それぞれに固定するために、固定装置１４，１５，１８を備えている。
【００２３】
第１の固定要素１８は、ラック又はフレームの形態とされる基体１２の横梁１４に作用する。基体１２は、横梁１４に対して平行に延在している。横梁１４には、運搬ローラ１７が回転可能に取り付けられる。取付領域１６それぞれに位置決めされている電気エネルギ貯蔵ユニット１１を取付領域１６の所定位置に固定するための第１の固定要素１８は、電気エネルギ貯蔵ユニット１１を取付領域１６に導入するための、又は電気エネルギ貯蔵ユニット１１を取付領域１６から取り出すための運搬ローラ１７の上方に配置されている。
【００２４】
第１の固定要素１８は、電気エネルギ貯蔵ユニット１１それぞれをラック又はフレームの形態とされる基体１２に固定させるように機能し、第１の固定要素１８は、電気エネルギ貯蔵ユニット１１それぞれに固定されているホルダ１９と相互作用する。
【００２５】
電気エネルギ貯蔵ユニット１１それぞれの、第１の固定要素１８と相互作用するホルダ１９は、アングル部分１９ａを有している。ホルダ１９それぞれひいては電気エネルギ貯蔵ユニット１１それぞれが、アングル部分１９ａを介して、第１の固定装置１８それぞれに螺合可能とされる。
【００２６】
さらに、電気エネルギ貯蔵ユニット１１に固定されているホルダ１９は、垂直コンベア、特にクレーンのための接続要素として機能する。
【００２７】
ホルダ１９の、電気エネルギ貯蔵ユニット１１とは逆に上方に突出している部分１９ｂには、アイレットが形成されている。当該アイレットは、電気エネルギ貯蔵ユニット１１をクレーンに結合し、当該クレーンによってエネルギ貯蔵ユニット取付設備１０の内部に又はエネルギ貯蔵ユニット取付設備１０から外部に移動させるために螺合可能とされる。
【００２８】
第２の固定装置は、基体１２に固定されている状態であっても基体１２に固定されていない状態であっても、電気エネルギ貯蔵ユニット１１それぞれを取付領域１６それぞれに保持する。図１〜図９に表わす典型的な実施例では、第２の固定装置は、横方向において電気エネルギ貯蔵ユニット１１それぞれを取付領域１６それぞれに保持する横梁１４、１５に配設されている。図１及び図２は、第１の実施例におけるエネルギ貯蔵ユニット取付設備１０、すなわち電気エネルギ貯蔵ユニット１１が装填されているエネルギ貯蔵ユニット取付設備１０の斜視図である。図５及び図６と、図８及び図９とはそれぞれ、エネルギ貯蔵ユニット取付設備１０の側面図、又は互いに対して９０°でオフセットされたエネルギ貯蔵ユニット取付設備１０と電気エネルギ貯蔵ユニット１１とから成る装置の側面図である。図４は、図５の断面ＩＶ−ＩＶにおける断面図であり、図７は、図８の断面ＶＩＩ−ＶＩＩにおける断面図である。
【００２９】
図１０〜図１７は、本発明におけるエネルギ貯蔵ユニット取付設備２０の第２の典型的な実施例の様々な図面を表わす。また、図１０〜図１７に表わす実施例のエネルギ貯蔵ユニット取付設備２０は、複数の電気エネルギ貯蔵ユニット２１を収容している。
【００３０】
図１０〜図１７に表わす典型的な実施例の電気エネルギ貯蔵ユニット２０は、垂直方向に延在している支柱２３と水平方向において支柱２３同士の間で延在している横梁２４，２５とから成るラック又はフレームの形態とされる基体２２を備えている。当該実施例では、基体２２の頂部及び底部に位置決めされている横梁２４と、側部それぞれに延伸している横梁２５とが、互いに対して平行に延在している。
【００３１】
エネルギ貯蔵ユニット取付設備２０のラック２２は、垂直方向において重ねられた状態で配置すべき電気エネルギ貯蔵ユニット２１のための、垂直方向において重ねられている複数の取付領域２６を形成している。電気エネルギ貯蔵ユニット２１それぞれは、水平方向において、すなわち横梁２５に対して平行とされる方向において、取付領域２６それぞれに導入可能とされると共に、取付領域２６それぞれから取り出し可能とされる。
【００３２】
図１０〜図１７に表わす典型的な実施例では、エネルギ貯蔵ユニット取付設備２０は、別体のコンベアを有していない。しかしながら、図１２及び図１３に基づく図１０〜図１７に表わす典型的な実施例では、電気エネルギ貯蔵ユニット２１は、パレットの形態とされる支持体２７に取り付けられており、電気エネルギ貯蔵ユニット２１は、支持体２７を介して、例えば揚重要素によって持ち上げられ、取付領域２６に導入される。
【００３３】
その後に、パレットの形態とされる支持体２７に取り付けられた電気エネルギ貯蔵ユニット２１は、電気エネルギ貯蔵ユニット２１が取付領域２６に導入されている場合に、支持体２７を介して横梁２５に自身を支持し、横梁２５に捩じ込まれるので、このようにして電気エネルギ貯蔵ユニット２１が取付領域２６それぞれに固定される。
【００３４】
従って、図示の典型的な実施例では、横梁２５は、パレットの形態とされる支持体２７を介して電気エネルギ貯蔵ユニット２１それぞれに接続可能とされる、第１の固定装置及び第２の固定装置を備えている。電気エネルギ貯蔵ユニット２１は、支持体２７に接触した状態で、ラック又はフレームの形態とされる基体２２に対して取り付けられている。さらに、横梁２５は、電気エネルギ貯蔵ユニット２１がラック又はフレームの形態とされる基体２２に固定されている状態であっても、電気エネルギ貯蔵ユニット２１がラック又はフレームの形態とされる基体２２に固定されていない状態であっても、電気エネルギ貯蔵ユニット２１を取付領域２６それぞれに保持する。図示しない本発明のさらなる実施例では、エネルギ貯蔵ユニット取付設備が、コンベア又は引き出しを備えており、エネルギ貯蔵ユニットが、このような引出しに挿入されるようになっている。引き出しを水平方向に移動させることによって、電気エネルギ貯蔵ユニットが、自身の取付領域から取り出されるように又は当該取付領域の内部に向かって移動可能とされる。
【００３５】
本発明によって、電気エネルギ貯蔵ユニット１１，２１を本発明におけるエネルギ貯蔵ユニット取付設備１０，２０に位置決めするために、大きく重い、特に１５０ｋｇ以上の重量を有する電気エネルギ貯蔵ユニット１１，２１を容易に取り扱うことができるようになる。
【符号の説明】
【００３６】
１０  エネルギ貯蔵ユニット取付設備
１１  電気エネルギ貯蔵ユニット
１２  基体
１３  支柱
１４  横梁／固定装置
１５  横梁／固定装置
１６  取付領域
１７  運搬ローラ
１８  固定装置
１９  ホルダ
２０  エネルギ貯蔵ユニット取付設備
２１  電気エネルギ貯蔵ユニット
２２  基体
２３  支柱
２４  横梁
２５  横梁／固定装置
２６  取付領域
２７  支持体
【図１】
2020194770.tif 000003
【図２】
2020194770.tif 000004
【図３】
2020194770.tif 000005
【図４】
2020194770.tif 000006
【図５】
2020194770.tif 000007
【図６】
2020194770.tif 000008
【図７】
2020194770.tif 000009
【図８】
2020194770.tif 000010
【図９】
2020194770.tif 000011
【図１０】
2020194770.tif 000012
【図１１】
2020194770.tif 000013
【図１２】
2020194770.tif 000014
【図１３】
2020194770.tif 000015
【図１４】
2020194770.tif 000016
【図１５】
2020194770.tif 000017
【図１６】
2020194770.tif 000018
【図１７】
2020194770.tif 000019
【外国語明細書】
2020194770000001.pdf